(57)【要約】【課題】ヘッドマウントディスプレイのフェイスパッドの汚れを防ぎ、ヘッドマウントディスプレイ装着時にズレにくい防汚用シートを安価で提供する。【解決手段】ヘッドマウントディスプレイのフェイスパッドを覆う事ができる大きさの防汚用シートに於いて、防汚用シート上部にヘッドマウントディスプレイ上部固定部分44および防汚用シート下部にヘッドマウントディスプレイ下部固定部分42を設け、それぞれヘッドマウントディスプレイの上部と下部に固定することで、防汚用シートのズレを軽減する。【選択図】図４
2019080126.tif 000002
【特許請求の範囲】
【請求項１】
ヘッドマウントディスプレイのフェイスパッドに汚れが付着することを防止するマスクに於いて、安価で加工しやすい不織布からなり、フェイスパッドを覆い且つレンズを露出する形状の目出し部分と、目出し部分下部にヘッドマウントディスプレイに固定する為の突出形状を持つ事を特徴とするヘッドマウントディスプレイ防汚用マスク。
【請求項２】
前記目出し部分下部のヘッドマウントディスプレイに固定する為の突出形状に１つもしくは複数の切り欠きを有する事を特徴とする請求項１に記載のヘッドマウントディスプレイ防汚用マスク。
【請求項３】
前記目出し部分上部左右端にヘッドマウントディスプレイに固定する為の突出形状を持つ事を特徴とする請求項１もしくは請求項２に記載のヘッドマウントディスプレイ防汚用マスク。
【請求項４】
前記目出し部分の中央上部に頭頂部固定ベルトを覆うための突出形状を有する事を特徴とする請求項１、請求項２もしくは請求項３に記載のヘッドマウントディスプレイ防汚用マスク。
【請求項５】
前記目出し部分の左右に側頭部固定ベルトを覆うための突出形状を有する事を特徴とする請求項１、請求項２、請求項３もしくは請求項4に記載のヘッドマウントディスプレイ防汚用マスク。
【発明の詳細な説明】
【技術分野】
【０００１】
本発明は、ヘッドマウントディスプレイの肌に触れる部分に汚れ等が付着することを防ぐためのマスクに関するものである。
【背景技術】
【０００２】
バーチャルリアリティの体験に於いて、ゴーグル型のヘッドマウントディスプレイ（図１）が用いられる。
【０００３】
ヘッドマウントディスプレイは、左右のレンズ14の周りにウレタンやスポンジ等のクッション性をもった素材で形成されたフェイスパッド11と、ヘッドマウントディスプレイを頭部に固定するための側頭部固定ベルト12及び頭頂部固定ベルト13で構成されている。これらにより、ヘッドマウントディスプレイが顔面に密着し、周囲からの光を妨げることで仮想空間への没入感を増している。
【０００４】
ヘッドマウントディスプレイはイベントや展示会、ショールーム等でのバーチャルリアリティ体験などで用いられることが多く、多数の体験者が連続して使用する状況では、肌に密着する部分（フェイスパッド11及びヘッドマウントディスプレイを頭部に固定するためのベルト）に皮脂や化粧品等が付着し、衛生上の問題が生じる。それを防止するため、不織布等を使った使い捨てマスクが発明されている。
【先行技術文献】
【特許文献】
【０００５】
【特許文献１】特開2017-153053
【特許文献２】実登3206912
【発明の概要】
【発明が解決しようとする課題】
【０００６】
従来の使い捨てマスクは、マスクの左右に設けられた耳掛け等を用い、最初に体験者の顔面にマスクを装着してからヘッドマウントディスプレイを被って使用するものである。
【０００７】
その為、装着時にヘッドマウントディスプレイのフェイスパッド11がマスクに接触し、フェイスパッド11とマスクの間に生じた摩擦力21によって、マスクを下に押し下げる力22が発生し、マスクが下にズレてしまう。（図３）
その為、何度もヘッドマウントディスプレイを被り直す必要が生じてしまい、装着に時間が掛かっていた。
【０００８】
また、ヘッドマウントディスプレイに設けられたフェイスパッド11を取り外しが容易な仕組みにし、これを使い捨てにする方法もあるが、不織布製のマスクと比べてコストがかかる。
【０００９】
本発明は、前述の課題を解決し、ヘッドマウントディスプレイ装着時にズレにくい防汚用マスクを安価で提供できるようになされたものである。
【課題を解決するための手段】
【００１０】
本発明に係る防汚用マスクは、マスク下部およびマスク上部の左右に突出部を設けることで、ヘッドマウントディスプレイにマスクを固定し易い形状としたものであり、ヘッドマウントディスプレイを装着する際にはこれらを指で押さえる等の手段で固定して用いる。
【００１１】
マスクをヘッドマウントディスプレイに固定する手段として、ヘッドマウントディスプレイ上部もしくは下部もしくはその両方にマスク固定器具を取り付けても良い。
【発明の効果】
【００１２】
本発明によれば、ヘッドマウントディスプレイ装着時にマスク下部の突出部分をヘッドマウントディスプレイ下部に固定し、またマスク上部左右の突出部分をヘッドマウントディスプレイ上部に固定して、帽子を被るように装着すれば、マスクのズレを軽減でき、ヘッドマウントディスプレイを簡単に装着することができる。
【図面の簡単な説明】
【００１３】
【図１】ヘッドマウントディスプレイ
【図２】従来のマスクの課題（ヘッドマウントディスプレイ装着中）
【図３】従来のマスクの課題（ヘッドマウントディスプレイ装着後）
【図４】本発明によるマスクの基本形状
【図５】ヘッドマウントディスプレイ下部固定部分の切り欠きを複数にしたマスクの例
【図６】ベルト覆被部分を有したマスクの形状
【図７】鼻背部分に橋梁を残したマスクの形状
【図８】ゴムの弾性を利用したマスク固定器具の例とその用法
【図９】クリップ状のマスク固定器具の例とその用法
【図１０】かぎ状の突起を用いたマスク固定器具の例とその用法
【図１１】面ファスナー状のマスク固定器具の例とその用法
【図１２】本発明によるマスクを装着する際のマスク固定例（ヘッドマウントディスプレイ下面）
【図１３】本発明によるマスクを装着する際のマスク固定例（ヘッドマウントディスプレイ上面）
【図１４】マスク固定器具をヘッドマウントディスプレイに接着した例
【図１５】ベルト覆被部分を有したマスクをマスク固定器具を用いて固定した例
【図１６】本発明によるマスク（ヘッドマウントディスプレイ装着中）
【図１７】本発明によるマスク（ヘッドマウントディスプレイ装着後）
【発明を実施するための形態】
【００１４】
マスクは、たとえば不織布のような柔らかく加工しやすく、かつ安価な素材で形成されている。
【００１５】
マスクは図４のような形状で、ヘッドマウントディスプレイのフェイスパッド11を覆う目出し部分41とヘッドマウントディスプレイ下部固定部分42とヘッドマウントディスプレイ上部固定部分44で構成される。ヘッドマウントディスプレイ下部固定部分42には、切り欠き43を設ける。
【００１６】
目出し部分41は、横幅200mm前後、高さ幅100mm前後の長方形もしくは楕円形等の横長形状で、中央に横幅150mm前後、高さ幅40mm前後の長方形もしくは楕円形等の開口部を設け、両目を露出できる様になっている。
【００１７】
ヘッドマウントディスプレイ下部固定部分42は、目出し部分41の下に位置し、横幅150mm前後、高さ幅50mm前後の長方形の横長形状で、中央に切り欠き43を設けてある。この切り欠き43は、マスクをヘッドマウントディスプレイに固定する際、ヘッドマウントディスプレイのフェイスパッド11の湾曲によってマスクに皺が入りにくくする為のものである。
【００１８】
ヘッドマウントディスプレイ上部固定部分44は、目出し部分41の上側左右に位置し、それぞれ目出し部分41の角から上方に50mm程度突き出した幅30mm程度の突起状の部分である。形状は円形でも長方形でも、また楕円形等でも良い。
【００１９】
ヘッドマウントディスプレイ下部固定部分42の切り欠き43は、図５切り欠き51の様に複数個所に設けても良い。
【００２０】
ヘッドマウントディスプレイの側頭部固定ベルト12および頭頂部固定ベルト13の防汚の為、マスクの左右および上部に、それぞれ側頭部固定ベルト覆被部分61、頭頂部固定ベルト覆被部分62の両方もしくはどちらか片方を設けても良い。側頭部固定ベルト覆被部分61は、側頭部固定ベルト12の太さより少し広い程度（高さ幅50ｍｍ前後）、横幅は左右とも100mm前後の長方形もしくはそれに近い帯状の形状である。頭頂部固定ベルト覆被部分62は、横幅50ｍｍ前後、高さ幅100mm前後の長方形もしくはそれに近い帯状の形状である。
【００２１】
目出し部分41の開口部は、両目をひと続きの穴から露出する様な形状ではなく、図７の様に中央に開口部の上下を結ぶ橋梁部71を設けても良い。これはヘッドマウントディスプレイ装着時のマスクの変形を軽減する役割を果たす。
【００２２】
ヘッドマウントディスプレイ下部固定部分42とヘッドマウントディスプレイ上部固定部分44は、指で押さえて固定することを想定した形状であるが、ヘッドマウントディスプレイ下部及びヘッドマウントディスプレイ上部の両方もしくはどちらか片方に、マスク固定器具を取り付け、これによってマスクを固定する様にしても良い。
【００２３】
マスク固定器具は、ゴム等の弾性素材に切れ込みを入れマスクの端部をその切れ込みに差し込むことで抜けにくくした構造の部材（図８A。図８Bはその用例である）、バネ若しくは素材そのものの弾性により２枚の板でマスクの端部を挟む事で抜けにくくした構造の部材（図９A。図９Bはその用例である）、かぎ状の突起を有しマスクに空いた孔を引掛ける事で抜けにくくした構造の部材（図１０A。図１０Bはその用例である）、または面ファスナーの様な微細なフックを有した素材でマスク側の素材と結合して接着力を発揮する構造の部材（図１１A。図１１Bはその用例である）等であり、これらのいずれかをヘッドマウントディスプレイの上部もしくは下部の数か所に接着して用いる。
【００２４】
マスク固定器具は、全て同じ構造の器具を使用しても良いし、ヘッドマウントディスプレイの接着場所によって構造の違う器具を組み合わせても良い。
【実施例】
【００２５】
本発明に係る防汚用マスクの装着は、ヘッドマウントディスプレイのフェイスパッド11にマスクの目出し部分41を重ね、開口部からヘッドマウントディスプレイ内部のレンズが露出する様に置く。次にヘッドマウントディスプレイ下部固定部分42をヘッドマウントディスプレイ下部に接する様に折り曲げ、それぞれ左右の親指で押さえる。（図１２）
【００２６】
同様にヘッドマウントディスプレイ上部固定部分44をヘッドマウントディスプレイ上部に接する様に折り曲げ、それぞれ左右の人差し指で押さえるように持つ。（図１３）
【００２７】
ヘッドマウントディスプレイ下部固定部分42およびヘッドマウントディスプレイ上部固定部分44を指で押さえる代わりに、ヘッドマウントディスプレイ下部もしくはヘッドマウントディスプレイ上部もしくはその両方にマスク固定器具を接着し、これを用いてマスクを固定しても良い。図１４はヘッドマウントディスプレイ下部に図８〜図１１で示したマスク固定器具を接着した例である。
【００２８】
図１５は、図１４の例に於いて、図６で示した側頭部固定ベルト覆被部分61および頭頂部固定ベルト覆被部分62を有したマスクを装着した例である。
【００２９】
本発明によれば、ヘッドマウントディスプレイを頭部に装着する際にマスクが顔面と接触し、摩擦力161によってマスクをヘッドマウントディスプレイ上方向にずらす力162が働くが、マスクのヘッドマウントディスプレイ上部固定部分及びヘッドマウントディスプレイ下部固定部分がそれぞれヘッドマウントディスプレイの上部及び下部に固定されている為、マスクをヘッドマウントディスプレイに押さえる力163が働き、マスクが上方にズレることなくヘッドマウントディスプレイを装着することができる。（図１７）
【産業上の利用可能性】
【００３０】
本発明のマスクは、ヘッドマウントディスプレイのフェイスパッド11を覆うように使用することで、ヘッドマウントディスプレイのフェイスパッド11に汚れ等が付着することを防ぐマスクとして利用することができる。不織布等の加工しやすい素材を使用することで、容易に大量生産でき、安価に提供することができる。
【符号の説明】
【００３１】
11  フェイスパッド
12  側頭部固定ベルト
13  頭頂部固定ベルト
14  レンズ
21  フェイスパッドとマスクとの間の摩擦力
22  マスクを押し下げる力
41  目出し部分
42  ヘッドマウントディスプレイ下部固定部分
43  切り欠き
44  ヘッドマウントディスプレイ上部固定部分
51  切り欠き
61  側頭部固定ベルト覆被部分
62  頭頂部固定ベルト覆被部分
71  橋梁部分
141  マスク固定器具
161  額とマスクとの間の摩擦力
162  マスクを押し上げる力
163  マスクを押さえる力
【図１】
2019080126.tif 000003
【図２】
2019080126.tif 000004
【図３】
2019080126.tif 000005
【図４】
2019080126.tif 000006
【図５】
2019080126.tif 000007
【図６】
2019080126.tif 000008
【図７】
2019080126.tif 000009
【図８】
2019080126.tif 000010
【図９】
2019080126.tif 000011
【図１０】
2019080126.tif 000012
【図１１】
2019080126.tif 000013
【図１２】
2019080126.tif 000014
【図１３】
2019080126.tif 000015
【図１４】
2019080126.tif 000016
【図１５】
2019080126.tif 000017
【図１６】
2019080126.tif 000018
【図１７】
2019080126.tif 000019
【手続補正書】
【提出日】平成30年2月13日(2018.2.13)
【手続補正１】
【補正対象書類名】明細書
【補正対象項目名】全文
【補正方法】変更
【補正の内容】
【発明の詳細な説明】
【技術分野】
【０００１】
本発明は、ヘッドマウントディスプレイの肌に触れる部分に汚れ等が付着することを防ぐためのシートに関するものである。
【背景技術】
【０００２】
バーチャルリアリティの体験に於いて、ゴーグル型のヘッドマウントディスプレイ（図１）が用いられる。
【０００３】
ヘッドマウントディスプレイは、左右のレンズ14の周りにウレタンやスポンジ等のクッション性をもった素材で形成されたフェイスパッド11と、ヘッドマウントディスプレイを頭部に固定するための側頭部固定ベルト12及び頭頂部固定ベルト13で構成されている。これらにより、ヘッドマウントディスプレイが顔面に密着し、周囲からの光を妨げることで仮想空間への没入感を増している。
【０００４】
ヘッドマウントディスプレイはイベントや展示会、ショールーム等でのバーチャルリアリティ体験などで用いられることが多く、多数の体験者が連続して使用する状況では、肌に密着する部分（フェイスパッド11及びヘッドマウントディスプレイを頭部に固定するためのベルト）に皮脂や化粧品等が付着し、衛生上の問題が生じる。それを防止するため、不織布等を使った使い捨てマスクが発明されている。
【先行技術文献】
【特許文献】
【０００５】
【特許文献１】特開2017-153053
【特許文献２】実登3206912
【発明の概要】
【発明が解決しようとする課題】
【０００６】
従来の使い捨てマスクは、マスクの左右に設けられた耳掛け等を用い、最初に体験者の顔面にマスクを装着してからヘッドマウントディスプレイを被って使用するものである。
【０００７】
その為、装着時にヘッドマウントディスプレイのフェイスパッド11がマスクに接触し、フェイスパッド11とマスクの間に生じた摩擦力21によって、マスクを下に押し下げる力22が発生し、マスクが下にズレてしまう。（図３）
その為、何度もヘッドマウントディスプレイを被り直す必要が生じてしまい、装着に時間が掛かっていた。
【０００８】
また、ヘッドマウントディスプレイに設けられたフェイスパッド11を取り外しが容易な仕組みにし、これを使い捨てにする方法もあるが、不織布製のマスクと比べてコストがかかる。
【０００９】
本発明は、前述の課題を解決し、ヘッドマウントディスプレイ装着時にズレにくい防汚用シートを安価で提供できるようになされたものである。
【課題を解決するための手段】
【００１０】
本発明に係る防汚用シートは、防汚用シート下部および防汚用シート上部の左右に突出部を設けることで、ヘッドマウントディスプレイに防汚用シートを固定し易い形状としたものであり、ヘッドマウントディスプレイを装着する際にはこれらを指で押さえる等の手段で固定して用いる。
【００１１】
防汚用シートをヘッドマウントディスプレイに固定する手段として、ヘッドマウントディスプレイ上部もしくは下部もしくはその両方に防汚用シート固定器具を取り付けても良い。
【発明の効果】
【００１２】
本発明によれば、ヘッドマウントディスプレイ装着時に防汚用シート下部の突出部分をヘッドマウントディスプレイ下部に固定し、また防汚用シート上部左右の突出部分をヘッドマウントディスプレイ上部に固定して、帽子を被るように装着すれば、防汚用シートのズレを軽減でき、ヘッドマウントディスプレイを簡単に装着することができる。
【図面の簡単な説明】
【００１３】
【図１】ヘッドマウントディスプレイ
【図２】従来のマスクの課題（ヘッドマウントディスプレイ装着中）
【図３】従来のマスクの課題（ヘッドマウントディスプレイ装着後）
【図４】本発明による防汚用シートの基本形状
【図５】ヘッドマウントディスプレイ下部固定部分の切り欠きを複数にした防汚用シートの例
【図６】ベルト覆被部分を有した防汚用シートの形状
【図７】鼻背部分に橋梁を残した防汚用シートの形状
【図８】ゴムの弾性を利用した防汚用シート固定器具の例とその用法
【図９】クリップ状の防汚用シート固定器具の例とその用法
【図１０】かぎ状の突起を用いた防汚用シート固定器具の例とその用法
【図１１】面ファスナー状の防汚用シート固定器具の例とその用法
【図１２】本発明による防汚用シートを装着する際の防汚用シート固定例（ヘッドマウントディスプレイ下面）
【図１３】本発明による防汚用シートを装着する際の防汚用シート固定例（ヘッドマウントディスプレイ上面）
【図１４】防汚用シート固定器具をヘッドマウントディスプレイに接着した例
【図１５】ベルト覆被部分を有した防汚用シートを防汚用シート固定器具を用いて固定した例
【図１６】本発明による防汚用シート（ヘッドマウントディスプレイ装着中）
【図１７】本発明による防汚用シート（ヘッドマウントディスプレイ装着後）
【発明を実施するための形態】
【００１４】
防汚用シートは、たとえば不織布のような柔らかく加工しやすく、かつ安価な素材で形成されている。
【００１５】
防汚用シートは図４のような形状で、ヘッドマウントディスプレイのフェイスパッド11を覆う目出し部分41とヘッドマウントディスプレイ下部固定部分42とヘッドマウントディスプレイ上部固定部分44で構成される。ヘッドマウントディスプレイ下部固定部分42には、切り欠き43を設ける。
【００１６】
目出し部分41は、横幅200mm前後、高さ幅100mm前後の長方形もしくは楕円形等の横長形状で、中央に横幅150mm前後、高さ幅40mm前後の長方形もしくは楕円形等の開口部を設け、両目を露出できる様になっている。
【００１７】
ヘッドマウントディスプレイ下部固定部分42は、目出し部分41の下に位置し、横幅150mm前後、高さ幅50mm前後の長方形の横長形状で、中央に切り欠き43を設けてある。
この切り欠き43は、防汚用シートをヘッドマウントディスプレイに固定する際、ヘッドマウントディスプレイのフェイスパッド11の湾曲によって防汚用シートに皺が入りにくくする為のものである。
【００１８】
ヘッドマウントディスプレイ上部固定部分44は、目出し部分41の上側左右に位置し、それぞれ目出し部分41の角から上方に50mm程度突き出した幅30mm程度の突起状の部分である。形状は円形でも長方形でも、また楕円形等でも良い。
【００１９】
ヘッドマウントディスプレイ下部固定部分42の切り欠き43は、図５切り欠き51の様に複数個所に設けても良い。
【００２０】
ヘッドマウントディスプレイの側頭部固定ベルト12および頭頂部固定ベルト13の防汚の為、防汚用シートの左右および上部に、それぞれ側頭部固定ベルト覆被部分61、頭頂部固定ベルト覆被部分62の両方もしくはどちらか片方を設けても良い。側頭部固定ベルト覆被部分61は、側頭部固定ベルト12の太さより少し広い程度（高さ幅50ｍｍ前後）、横幅は左右とも100mm前後の長方形もしくはそれに近い帯状の形状である。頭頂部固定ベルト覆被部分62は、横幅50ｍｍ前後、高さ幅100mm前後の長方形もしくはそれに近い帯状の形状である。
【００２１】
目出し部分41の開口部は、両目をひと続きの穴から露出する様な形状ではなく、図７の様に中央に開口部の上下を結ぶ橋梁部71を設けても良い。これはヘッドマウントディスプレイ装着時の防汚用シートの変形を軽減する役割を果たす。
【００２２】
ヘッドマウントディスプレイ下部固定部分42とヘッドマウントディスプレイ上部固定部分44は、指で押さえて固定することを想定した形状であるが、ヘッドマウントディスプレイ下部及びヘッドマウントディスプレイ上部の両方もしくはどちらか片方に、防汚用シート固定器具を取り付け、これによって防汚用シートを固定する様にしても良い。
【００２３】
防汚用シート固定器具は、ゴム等の弾性素材に切れ込みを入れ防汚用シートの端部をその切れ込みに差し込むことで抜けにくくした構造の部材（図８A。図８Bはその用例である）、バネ若しくは素材そのものの弾性により２枚の板で防汚用シートの端部を挟む事で抜けにくくした構造の部材（図９A。図９Bはその用例である）、かぎ状の突起を有し防汚用シートに空いた孔を引掛ける事で抜けにくくした構造の部材（図１０A。図１０Bはその用例である）、または面ファスナーの様な微細なフックを有した素材で防汚用シート側の素材と結合して接着力を発揮する構造の部材（図１１A。図１１Bはその用例である）等であり、これらのいずれかをヘッドマウントディスプレイの上部もしくは下部の数か所に接着して用いる。
【００２４】
防汚用シート固定器具は、全て同じ構造の器具を使用しても良いし、ヘッドマウントディスプレイの接着場所によって構造の違う器具を組み合わせても良い。
【実施例】
【００２５】
本発明に係る防汚用シートの装着は、ヘッドマウントディスプレイのフェイスパッド11にマスクの目出し部分41を重ね、開口部からヘッドマウントディスプレイ内部のレンズが露出する様に置く。次にヘッドマウントディスプレイ下部固定部分42をヘッドマウントディスプレイ下部に接する様に折り曲げ、それぞれ左右の親指で押さえる。（図１２）
【００２６】
同様にヘッドマウントディスプレイ上部固定部分44をヘッドマウントディスプレイ上部に接する様に折り曲げ、それぞれ左右の人差し指で押さえるように持つ。（図１３）
【００２７】
ヘッドマウントディスプレイ下部固定部分42およびヘッドマウントディスプレイ上部固定部分44を指で押さえる代わりに、ヘッドマウントディスプレイ下部もしくはヘッドマウントディスプレイ上部もしくはその両方に防汚用シート固定器具を接着し、これを用いて防汚用シートを固定しても良い。図１４はヘッドマウントディスプレイ下部に図８〜図１１で示した防汚用シート固定器具を接着した例である。
【００２８】
図１５は、図１４の例に於いて、図６で示した側頭部固定ベルト覆被部分61および頭頂部固定ベルト覆被部分62を有した防汚用シートを装着した例である。
【００２９】
本発明によれば、ヘッドマウントディスプレイを頭部に装着する際に防汚用シートが顔面と接触し、摩擦力161によって防汚用シートをヘッドマウントディスプレイ上方向にずらす力162が働くが、防汚用シートのヘッドマウントディスプレイ上部固定部分及びヘッドマウントディスプレイ下部固定部分がそれぞれヘッドマウントディスプレイの上部及び下部に固定されている為、防汚用シートをヘッドマウントディスプレイに押さえる力163が働き、防汚用シートが上方にズレることなくヘッドマウントディスプレイを装着することができる。（図１７）
【産業上の利用可能性】
【００３０】
本発明の防汚用シートは、ヘッドマウントディスプレイのフェイスパッド11を覆うように使用することで、ヘッドマウントディスプレイのフェイスパッド11に汚れ等が付着することを防ぐ防汚用シートとして利用することができる。不織布等の加工しやすい素材を使用することで、容易に大量生産でき、安価に提供することができる。
【符号の説明】
【００３１】
11  フェイスパッド
12  側頭部固定ベルト
13  頭頂部固定ベルト
14  レンズ
21  フェイスパッドとマスクとの間の摩擦力
22  マスクを押し下げる力
41  目出し部分
42  ヘッドマウントディスプレイ下部固定部分
43  切り欠き
44  ヘッドマウントディスプレイ上部固定部分
51  切り欠き
61  側頭部固定ベルト覆被部分
62  頭頂部固定ベルト覆被部分
71  橋梁部分
141  防汚用シート固定器具
161  額と防汚用シートとの間の摩擦力
162  防汚用シートを押し上げる力
163  防汚用シートを押さえる力
【手続補正２】
【補正対象書類名】特許請求の範囲
【補正対象項目名】全文
【補正方法】変更
【補正の内容】
【特許請求の範囲】
【請求項１】
ヘッドマウントディスプレイのフェイスパッドに汚れが付着することを防止する防汚用シートに於いて、安価で加工しやすい不織布からなり、フェイスパッドを覆い且つレンズを露出する形状の目出し部分と、目出し部分下部にヘッドマウントディスプレイに固定する為の突出形状を持ち、この突出形状がヘッドマウントディスプレイ下面に指で押さえつけられて固定される事を特徴とするヘッドマウントディスプレイ防汚用シート。
【請求項２】
ヘッドマウントディスプレイのフェイスパッドに汚れが付着することを防止する防汚用シートに於いて、安価で加工しやすい不織布からなり、フェイスパッドを覆い且つレンズを露出する形状の目出し部分と、目出し部分下部にヘッドマウントディスプレイに固定する為の突出形状を持ち、ヘッドマウントディスプレイ下面にはこの突出形状を固定する為の固定器具を設ける事を特徴とするヘッドマウントディスプレイ防汚用シート。
【請求項３】
前記目出し部分下部のヘッドマウントディスプレイに固定する為の突出形状に１つもしくは複数の切り欠きを有する事で、ヘッドマウントディスプレイに防汚用シートが固定される際の皺を軽減し、突出形状がヘッドマウントディスプレイ下面にフィットし易くなる事を特徴とする請求項１もしくは請求項２に記載のヘッドマウントディスプレイ防汚用シート。
【請求項４】
前記目出し部分上部左右端にヘッドマウントディスプレイに固定する為の突出形状を持ち、この突出形状がヘッドマウントディスプレイ上面に指で押さえつけられて固定される事を特徴とする請求項１、請求項２もしくは請求項３に記載のヘッドマウントディスプレイ防汚用シート。
【請求項５】
前記目出し部分上部左右端にヘッドマウントディスプレイに固定する為の突出形状を持ち、ヘッドマウントディスプレイ上面にはこの突出形状を固定する為の固定器具を設ける事を特徴とする請求項１、請求項２もしくは請求項３に記載のヘッドマウントディスプレイ防汚用シート。
【請求項６】
前記目出し部分の中央上部に頭頂部固定ベルトを覆うための突出形状を有する事を特徴とする請求項１、請求項２、請求項３、請求項４もしくは請求項５に記載のヘッドマウントディスプレイ防汚用シート。
【請求項７】
前記目出し部分の左右に側頭部固定ベルトを覆うための突出形状を有する事を特徴とする請求項１、請求項２、請求項３、請求項４、請求項５もしくは請求項６に記載のヘッドマウントディスプレイ防汚用シート。
【手続補正４】
【補正対象書類名】図面
【補正対象項目名】図１４
【補正方法】変更
【補正の内容】
【図１４】
2019080126.tif 000020
【手続補正５】
【補正対象書類名】図面
【補正対象項目名】図１６
【補正方法】変更
【補正の内容】
【図１６】
2019080126.tif 000021